(57)【要約】      （修正有）【課題】異種金属接触腐食における卑な金属製の球面状軽打用金属（陰電極）を、加湿器から湿り気を与えた皮膚表面を介して貴な金属（陽電極）へと電気的に結びつけるガルバニック電池を皮膚表面上に構成醸成し、陰電極球面状金属で皮膚表面を軽打する器具を開発する。【解決手段】卑な金属の陰電極としてマグネシウム金属を用い、加湿器に加える水溶液液滴にカルシウム・イオンやプロビタミン等を混入溶解することで、皮膚角質層のバリア機能を回復促進するに必要な金属イオンやビタミン類を、皮膚外部から直接皮膚の深部真皮部分まで浸透供給することができる。同様に、異種金属接触腐食における貴な金属製の球面状金属（陽電極）を用いて、電気的極性を逆転させて殺菌作用に特徴のある同様な器具を製作することが出来る。「乾燥肌」を回復させて、皮膚本来の保湿力を保持し、顔面の皺の発生を遅らせるなど、美容器具として使うことができる。【選択図】図１
2005261913.tif 000002
【特許請求の範囲】
【請求項１】
異種金属接触腐食における貴な金属と卑な金属で構成されるガルバニック電池を、皮膚表面を軽打する球面状軽打用金属球をそなえた装置において皮膚表面上に構築醸成し、皮膚表面へのイオン導入を促進し、殺菌消臭と皮膚表面角質層のバリヤ機能回復を促進することを目的とするスキン・ケア作用。
【請求項２】
異種金属接触腐食における卑な金属と異種金属接触腐食における貴な金属、及び加湿器とその補給水を備えることを特徴とする、請求項１記載の作用を目的とする軽打型スキン・ケア器具。
【請求項３】
異種金属接触腐食における卑な金属を半球状に加工し、これで皮膚表面を移動させ皮膚を軽くたたくことを特徴とする、請求項１および請求項２に記載のスキン・ケア器具。
【請求項４】
請求項３における異種金属接触腐食の卑な金属の球面状軽打用金属を、マグネシウム金属とすることを特徴とする、請求項１、請求項２、および請求項３に記載のスキン・ケア器具。
【請求項５】
貴な金属として、黒鉛、銅合金金属、又は異種金属接触腐食においてマグネシウムより貴な合金を陽電極として使用することを特徴とする、請求項１、請求項２、請求項３、および請求項４に記載のスキン・ケア器具。
【請求項６】
異種金属接触腐食における貴な金属を半球状に加工し、これで皮膚上を移動させ軽くたたくことを特徴とする、請求項１および請求項２に記載のスキン・ケア器具。
【請求項７】
請求項６における異種金属接触腐食の貴な金属の球面状軽打用金属を、銅金属、銅合金、又は黒鉛とすることを特徴とする、請求項１、請求項２および請求項６に記載のスキン・ケア器具。
【請求項８】
異種金属接触腐食における卑な金属であるマグネシウム金属を陰電極として使用することを特徴とする請求項１、請求項２、請求項６、および請求項７に記載のスキン・ケア器具。
【請求項９】
球面状軽打用金属をマグネシウム金属製にした上記請求項４に述べたスキン・ケア器具と球面状軽打用金属を異種金属接触腐食における貴な金属製とした上記請求項６に述べたスキン・ケア器具の両種スキン・ケア器具ともに、その球面状軽打用金属に径３ｍｍφ以下の細穴を有効本数穿孔し、それを通過した加湿器からの補給水が球面状軽打用金属表面へ浸潤し、軽打対象の皮膚表面を当該補給水の噴霧、液滴で湿らすように加工を加えた球面状軽打用金属。
【請求項１０】
球面状軽打用金属をマグネシウム金属製にした上記請求項４に述べたスキン・ケア器具と球面状軽打用金属を異種金属接触腐食における貴な金属製とした上記請求項６に述べたスキン・ケア器具の両種スキン・ケア器具ともに、その加湿器に与える補給水を、コラーゲンを主成分としイオンサプライを加えた水溶液補給水。
【請求項１１】
球面状軽打用金属をマグネシウム金属製にした上記請求項４に述べたスキン・ケア器具と、球面状軽打用金属を異種金属接触腐食における貴な金属製とした上記請求項６に述べたスキン・ケア器具の両種スキン・ケア器具ともに、その加湿器に与える補給水を、カルシウムとマグネシウムをイオンサプライに溶かした水溶液補給水。
【請求項１２】
球面状軽打用金属をマグネシウム金属製にした上記請求項４に述べたスキン・ケア器具と、球面状軽打用金属を異種金属接触腐食における貴な金属製とした上記請求項６に述べたスキン・ケア器具の両種スキン・ケア器具ともに、その加湿器に与える補給水を、プロビタミン（リン酸Ｌ−アスコルピルマグネシウム、Ｌ−アスコルビン酸ナトリウム、およびテトラヘキシルデカン酸アスコルビル等を溶かした水溶液補給水。
【請求項１３】
球面状軽打用金属をマグネシウム金属製にした上記請求項４に述べたスキン・ケア器具と、球面状軽打用金属を異種金属接触腐食における貴な金属製とした上記請求項６に述べたスキン・ケア器具の両種スキン・ケア器具ともに、その加湿器に与える補給水を、イオン導入効果の大きい低分子量のプロビタミンと近い低分子量からなる水虫や育毛剤、皮膚保護剤等を溶かした水溶液補給水において、皮膚深部の真皮部分にまで当該薬剤の成分を補給して水虫や頭髪脱落の防止、頭髪育毛作用等を促す効果。
【発明の詳細な説明】
【技術分野】
【０００１】本発明は、ガルバニック電位差による起電力効果を利用した皮膚表面のイオン導入作用と整肌器具に関する。
【背景の技術】
【０００２】報道によれば、マイナス電荷に帯電させたビタミンＣ前駆体の溶液を皮膚に塗布し、微弱な電流（３００〜４００μＡ）を流して皮膚表面をマイナス電位に荷電させると、皮膚中のマイナス荷電ビタミンＣ前駆体が皮膚中深部まで浸透して、皮膚中のビタミンＣ濃度が一般値の４００〜６００倍に増加するという「イオン導入法」が開発、研究されている、三羽広島県立大教授、ビューリー社（韓国）、鈴木形成外科、日経産業新聞２００１年９月１８日版。しかし表面から０．１ミリメートル以上深い皮膚表皮の底部や真皮部分には成分が到達しにくいという。これら従来の「イオン導入法」化粧法の欠点を克服するのがこの開発研究特許申請の目的である。
【０００３】一方これまで、異種金属接触腐食における貴な金属と卑な金属で構成されるガルバニック電池は、電気石鹸や髭剃り器及び歯ブラシへの殺菌作用への応用、特開２００１−１９０４４４、特開２００１−１９０４４５、特開２００１−１９０３３６、或いは本申請者による浄水器殺菌装置、貯蔵水槽、風呂水などの殺菌装置への応用、特願２００２−２９４２６１、特願２００３−１２６７７９、などがなされて来たが、これらはいずれも水中にガルバニック電池を形成させるタイプのものである。異種金属接触腐食における貴な金属と卑な金属で構成されるガルバニック電池を、加湿器を備えることにより皮膚表面に形成醸成させる原理の応用は、これまで本出願者が最初に、皮膚表面の殺菌消臭作用、整肌作用など美容分野へのガルバニック電池の起電力作用の応用として、研究開発しつつある、特願２００３−３０２１０２。これまで、異種金属接触腐食における卑な金属であるマグネシウム金属球を皮膚表面上転がせるタイプのスキン・ローラー「イオン導入法」を当該研究器具に包含するように開発の視野を拡大して来た、特願２００４−７３４４３。
【０００４】さらにごく最近、マグネシウムイオンとカルシウムイオンの皮膚表面における拮抗バランスが、皮膚角質層の自発的回復とバリア機能改善に大いに資する事実が発見され、その作用をもつ整肌クリームなどが開発されつつある、資生堂Ｔｅｃｈｎｉｃａｌ  Ｌｅｔｔｅｒｓ  １９９９−７、特開２０００−２９０１３５。この目的のためのスキン・ローラー型器具とは別に、本発明はこのイオン拮抗バランスを皮膚表面部分に醸成させ皮膚角質層の自発的回復とバリア機能改善に資する、イオン導入には外部電源を全く使用しない皮膚軽打型金属製スキン・ケア器具を提供する。
【発明の開示】
【発明が解決しようとする問題】
【０００５】電気石鹸、髭剃り器、歯ブラシ、及び貯蔵水槽、風呂水などは、いずれもガルバニック殺菌装置を設定配置する位置は水中環境にある。これにくらべ適用しようとする皮膚表面は、正常には乾燥している状態である。本発明は加湿器を組み入れることにより乾燥皮膚表面に湿度を与え、陰電極、湿った皮膚表面、および皮膚深部と陽電極よりなる回路に沿って、異種金属接触腐食における貴な金属と卑な金属で構成されるガルバニック電池機構を皮膚表面に構成醸成する。
【０００６】異種金属接触腐食における卑な金属であるマグネシウム金属を球面状に加工し、表面をプロビタミン等を溶解した溶液で湿らせ、当該マグネシウム金属球面で直接皮膚を軽打することにより、身体の電位に対して皮膚表面をマイナス電位に皮膚深部をプラスに帯電させて「イオン導入機構」を構成構築する。
【０００７】あるいは、異種金属接触腐食における貴な金属である銅金属または銅合金を直接皮膚に接触する球面状形態に加工することにより、乾燥肌といわれる皮膚表面には、潤いを与えつつ皮膚表面の電解殺菌を行う。発汗している湿った皮膚では、汗にふくまれる細菌等の殺菌を行い消臭作用を及ぼす。
【０００８】皮膚角質層に必要といわれる陰陽両金属イオンを、ガルバニック電池両電極から直接に、および、加湿器補給水に溶解して供給し、角質層のバリア機能の回復、改善作用を増進する。
【０００９】エアコンのきいたオフイスやストレス過多の社会環境で、皮膚の「がさつき」、「乾燥肌」をつたえる女性が増加している。本発明は、これらの問題を解決し皮膚本来の保湿力とバリア機能を回復させて、皮膚の老化を遅らせ、皴の発生を防ぐ。
【課題を解決するための手段】
【００１０】ガルバニック電池の異種金属接触腐食における貴な金属としては、黒鉛、白金、ニッケル・クロム・モリブデン合金Ｃ、チタン・ニッケル・クロム・銅・シリコン合金Ｂ、ニッケル・鉄・クロム合金８２５、アロイ２０、ステンレス鋼、銅、銀等がある。このうち、黒鉛及び白金は真空電位に対して＋０．２ボルト程度の電位を有し、他の金属は０ボルト近傍の電位を示す。異種金属接触腐食における卑な金属としては、マグネシウム、亜鉛、ベリリウム、アルミニウム合金等があり、マグネシウムは真空電位に対して−１．６ボルト、亜鉛、ベリリウム、アルミニウム合金等は−１．０ボルト程度の電位を示す。本発明は、これら異種金属接触腐食における貴な金属と卑な金属を組み合わせて、０．７ボルト以上の起電力を発生する各金属の陽、陰電極を組み合わせてガルバニック電池を構成し利用する。電力を供給するための外部電池や外部電源等は全く必要としない。
【００１１】本申請者はそれぞれ請求項３と請求項６に述べた二種類のスキン・ケア器具を発明開発した。
【００１２】その一つ請求項３の装置は、異種金属接触腐食における卑な金属よりなる球面状軽打用陰電極金属、これに対する異種金属接触腐食における貴な金属よりなる陽電極円盤、および両電極間空間内の球面状軽打用金属の表面、すなわち人体皮膚表面、へ補給水湿気を供給する加湿器、及びこれら三者を一体化して組み込んだ手動ハンドルより構成される。
【００１３】別なもう一種、請求項６のスキン・ケア器具は、異種金属接触腐食における貴な金属よりなる球面状軽打用陽電極金属、これに対する異種金属接触腐食におけるより卑な金属よりなる陰電極円盤、および両電極間空間内の球面状軽打用金属表面と皮膚表面へ補給水湿気を供給する加湿器、及びこれら三者を一体化して組み込んだ手動ハンドルより構成される。
【００１４】００１２項に述べた請求項３のスキンケア器具は、００１０項で述べた異種金属接触腐食における卑な金属を半球状に加工したものを振動用モーターと共にハンドルに取り付け、ハンドルを皮膚表面上移動させることにより、当該卑な金属製の球面状表面が皮膚表面を軽打しつつ移動する。上記００１０項に述べた異種金属接触腐食における貴な金属製の板状陽電極金属片を、当該球面状軽打用金属と加湿器から電気的に絶縁されたハンドル上の場所に固定し、球面状軽打用金属と加湿器に対峙する陽電極金属円盤へ電気的に結線する。
【００１５】００１３項に述べた請求項６のスキン・ケア器具では、上記００１０項に述べた異種金属接触腐食における貴な金属を球面状に加工してハンドルに取り付け震動させ、ハンドルを皮膚表面上に移動させて、貴な金属製球面状金属表面が皮膚上を軽打しつつ移動するようにする。この器具では、上記００１０項に述べたように、異種金属接触腐食における当該球面状金属に対する卑な金属製の板状陰電極金属片を当該球面状軽打用金属と加湿器に対峙する卑な金属製の陰電極金属円盤へ電気的に結線する。
【００１６】フェルト小片、或いはスポンジ小片からなる加湿器を、００１２項の卑な金属製球面状軽打用金属と、００１３項の貴な金属製球面状軽打用金属のいずれの場合にも、球面状軽打用金属の背面に接して取り付ける。球面状軽打用金属には、その底面から表面へ径１ｍｍ以下の細穴を有効本数穿孔してあり、加湿器中の補給水が穴を通って球面状軽打用金属の表面へ浸潤するように加工してある。球面状軽打用金属が皮膚を軽打移動する際に、加湿器中の補給水が球面状軽打用金属に穿孔してある細穴を経て軽打用金属表面を濡らし、液滴、噴霧状の補給水が皮膚を湿らす。
【００１７】それぞれ球面状軽打用金属に対する貴な金属よりなる陽電極円盤、あるいは卑な金属よりなる陰電極円盤を加湿器フエルト後部へ接して取り付け、これらを、ハンドルに取り付けてある同種のそれぞれ貴な金属よりなる陽電極片、あるいは卑な金属よりなる陰電極片へ電気的に結線する。これは、当該貴な金属よりなる陽電極片、あるいは卑な金属よりなる陰電極片が加湿器フエルトおよび半球状軽打用金属と電気的に絶縁して、器具把握時に人体と確実に電気的に接触させるためである。
【００１８】加湿器を補給水容器からの水溶液水滴で湿らしたのち、球面状軽打用金属を振動させるモーターのスイッチを入れる。振動する球面状軽打用金属を皮膚表面にあてると、球面状軽打用金属が皮膚に接触する瞬間には、請求項３の球面状軽打用金属が卑な金属製の場合は、球面状軽打用金属の表面→皮膚表面上の水分→皮膚深部→身体→ハンドル上の貴な金属小片へと、ガルバニック電池の回路が形成され、皮膚表面はマイナス電位に帯電する。その結果、前記０００７項、０００８項、および０００９項に述べた各効果が皮膚表面上に醸成発生する。
【００１９】請求項６の半球状軽打用金属が貴な金属製である場合は、同様に加湿器を補給水容器からの水滴で湿らしたのち、球面状軽打用金属を振動モーターのスイッチを入れてハンドルを皮膚表面上に当てると、貴な金属製球面状軽打用金属が皮膚表面に接触する瞬間には、貴な金属製球面状軽打用金属の表面→皮膚表面の水分→皮膚深部→身体→ハンドル上の卑な金属小片へと（電位方向は逆）、ガルバニック電池の回路が形成され、やはり前記、０００７項、０００８項、および０００９項に述べた各効果を皮膚表面上に醸成発生させることがでる。
【発明の効果】
【００２０】異種金属接触腐食における卑な金属（陰電極）を、加湿器からの湿り気を与えた皮膚表面を介して貴な金属（陽電極）へと結びつけるガルバニック電池を構成醸成するスキン・ケア器具を開発製作した。この装置は皮膚表面の電解殺菌を行い、細菌が原因と考えられる汗特有の匂い等を消し、新しい原理に基づく皮膚内部へのイオン導入を行い、皮膚再生機能回復を促進させる器具を提供する。
【００２１】卑な金属の球面状軽打用金属としてマグネシウム金属を用いることによって、さらには加湿器に加える補給水にコラーゲン、カルシウムイオン、香料を混入調合することによって、マグネシウムイオンを補う成分を補充し、皮膚角質層のバリア機能を回復促進するに必要な金属イオンを、外部から直接皮膚中へ供給することができる。さらには補給水にビタミン前駆体を溶かし込むと、皮膚表面下数ミクロン以上の深部真皮部分へこれらのイオンを浸透させることもできることがわかった。これらは水溶液中ではマイナスイオンに帯電すると云われるので、電位がマイナスの球面状軽打用マグネシウム金属を離れて、プラス電位にある皮膚深部へ向かって侵入移動すると考えられる。
【００２２】請求項０００６に述べたように、異種金属接触腐食における貴な金属の金属製の球面状軽打用金属を用いることもでき、この場合には、貴な球面状軽打用金属に適合したマグネシウムイオン、カルシウムイオンを含む補給水を調合して、ガルバニック電池の殺菌作用を皮膚表面に醸成することが出来よう。この場合は、水溶液中でプラスに帯電するイオンが、皮膚深部へ浸透する。
【００２３】請求項０００３、請求項０００６のいずれの器具においても、ガルバニック電池作用と皮膚表面補給水の整肌作用を融合統一して醸成し、「乾燥肌」を回復させ、顔面の皺の発生を遅らせるなど、皮膚本来の保湿力にすぐれた性質を保持する整肌美容器具として使うことができる。さらには、頭髪の脱落防止と育毛作用への効果も考えられる。
【発明を実施するための最良の形態】
【００２４】図１に本発明の実施例１を示す。実施例１は、球面状軽打用金属にマグネシウム金属を使用する、請求項０００４の場合である。図２はその上面図であり、図３はその背面図である。上面図、図２の直線Ａ−Ａに沿った断面を図１に示してある。【００２５】図１、図２及び図３において、１はマグネシウム金属製球面状軽打用金属であり、ガルバニッ電池の陰電極として働く。１には、その背面底部から球状表面へむかって径１ｍｍφ以下の細穴を有効数あけてある。（図示せず。）２は１に接触している加湿器のフエルト円盤状短冊であり、３はこのフエルト円盤後面に接して陽電極として働く銅合金円盤である。【００２６】これら、陽電極である銅・銀（１０％）合金円盤３、加湿器フエルト２、および球面状軽打用マグネシウム金属１は順次この順序で、保持缶４内に収納される。このガルバニック電池保持缶４を含め、部品１、２、及び３以外は原則として、電気的絶縁性の高いプラスチックス製材料を使う。保持缶４内への収納方法を分解して図４に示す。銅合金円盤３にはハンドル外側面に貼り付けてある陽電極６へ漏電なしに電気的短絡をするために導線がつけてある。これらの３個の部品は収納後、保持缶の蓋５によって、軽打用マグネシウム金属１の球面部分が外部へ露出するようにして、固定される。【００２７】図４に示すように、保持缶４の底部をハンドル９の頭部７へ二つのネジで固定する。ハンドル９には、乾電池と振動モーターを収納する。ハンドル９の上部と下部の固定は、ゴム製Ｏーリングをはさんでネジ方式で締め付ける（図示せず）。ネジ部にはネジ締め付けスイッチ８が取り付けてあり、スイッチをＯＮにすると、遍心振り子つき振動モーターが回転を始め、ゴム製Ｏーリングをはさんで締め付けられているハンドル上半部が振動を行い、頭部のガルバニック電池保持缶全体が振動する。【００２８】ハンドルを握って、振動する球面状軽打用マグネシウムの球面を軽く皮膚に当てると、マグネシウム表面が皮膚を打って接触する瞬間、マグネシウム球面表面→水溶液で湿った皮膚→皮膚深部→ハンドルで握った陽電極銅合金というガルバニック電池回路が形成され、皮膚表面近傍で０００７項、０００８項０００９項に述べた諸効果が醸成発生する。【００２９】加湿器へ補給水を加えるときは、スイッチ８を切り、ガルバニック電池保持缶の蓋５をはずして、別記補給水注入器で補給をすればよい。【００３０】図５は加湿器へ加える補給水の容器を示す。１０は弾力性のあるポリビニール製の容器本体で、体積が大きくて３００ｃｃ程度のものを考えている。スポイド状の滴下口をもった勘合蓋１１を本体１０の口へはめ込み、締め付け蓋１２を締めて本体１０へ１１を取付ける。スポイドの先端を加湿器のフエルト、図１または図４の２、へ近づけ、本体１０に圧力を加えて、加湿器フエルトに補給水を滴下させる。１３はめくら蓋であり、補給水の密閉保存時にスポイド口１１と取り替えて用いる。【００３１】図１、図２、及び図３における９は、本発明スキン・ケア器具のハンドルである。このハンドルの材料は、電気的絶縁性の高いアクリル樹脂その他のプラスチックで成形し、上部と下部をネジ方式で固定接合する。透明性や美麗な色彩などを付与し、���品性を高めるとよい。【００３２】マグネシウム製球面状軽打用金属の場合は、対応する異種金属接触腐食における貴な金属の陽電極として銅・銀（１０％）合金を使う。３と６はこの銅合金陽電極金属を示し、６は球面状軽打用金属１や加湿器フエルト２と電気的に絶縁して、３と電気的に通電するように結線してある。ハンドルの把握時には、この陽電極金属６と身体、すなわち皮膚、との電気的結線は確かなものになる。６を握ることによって、マグネシウム製球面状軽打用金属（異種金属接触腐食における卑な金属）に接触している湿った皮膚表面の下層にある皮膚角質層を通じて、身体が異種金属接触腐食における貴な金属６すなわち銅合金円盤３と電気的に同電位になる。【００３３】加湿器２のフエルトを５〜６滴の補給水水滴で湿らした後、保持缶の蓋５を閉めて図４の各部品を固定し、ハンドル上部と下部を締めてスイツチ８をＯＮにする。振動するハンドル９を握って皮膚表面を撫でまわせば、マグネシウム製球面状軽打用金属（ガルバニック電池の陰電極）から皮膚表面上の水分を通じて、皮膚→身体→銅・銀合金小金属片（ガルバニック電池の陽極）へと電気的回路が形成され、マイナス電位の皮膚表面付近には、湿った皮膚表面上の電解殺菌作用や消臭作用、皮膚表面角質層へのプロビタミン類の浸透とそのバリヤー機能の回復・改善作用が発生惹起される。【００３４】図５の容器１０に蓄える加湿器補給水については、その成分等に関して研究開発を続行しつつある。ここではコラーゲンを主成分として加え、イオンサプライその他のイオンを溶解した補給水について、当該スキン・ケア器具が及ぼす皮膚上の保水効果について述べる。ここに示す表は、静止スキン・ケア器具と、２００回の震動スキン・ケア器具の往復運動を行った場合の皮膚表面を、モイスチャーチェッカー（スカラ株式会社製）で測定した結果をまとめたものである。使用したスキン・ケア器具は実施例１と同等のものである。測定は、各測定場所で４回ないし５回の測定をおこない、その平均値を測定値としている。測定値が極端に異なる値を示した場合は、平均値から除外した。【００３５】表１および表２は，それぞれ額と頬におけるスキン・ケア器具による保水効果を示している。【００３６】
2005261913.tif 000003
【００３７】
2005261913.tif 000004
【００３８】表１と表２をみると、額、頬ともに当該スキン・ケア器具の往復運動２００回を行なった方が保水効果が大きく、コラーゲンを加えた補給水が長時間保存されていることが分かる。【００３９】腕についても同様な測定を行った。この場合は左腕のみの外側と内側の測定を行った。腕の外側と内側の皮膚状態の違いが保水効果へ及ぼす効果をみるためである。結果を表３に示す。【００４０】
2005261913.tif 000005
【００４１】表３をみると、腕の外側でも内側でも測定値の差は正の値を示すので、やはりスキン・ケア器具を静止よりも往復運動をさせたほうが保水効果がよい。１時間程度の短時間内では時間と共に差はすこしづつ減少しているようであるが、１時間程度の時間内では腕の内側のような柔らかい皮膚のほうが保水効果が高いことがわかる。【００４２】実施例１のマグネシウム製球面状軽打用金属を使って、他にコラーゲン、イオンサプライに加えて、カルシウム、マグネシウムのイオンを含むドロマイト錠剤２個を３ｃｃの水に溶解調合した補給水につい同様なテストを実施した。その結果を表４に示す。【００４３】
2005261913.tif 000006
【００４４】額、頬ともに、やはりスキン・ケア器具に往復運動を加えたほうが保水効果がよい。顔面上の処理場所や処理後の時間経過はあまり保水効果に差異をもたらさない。【００４５】請求項０００９に述べたように、補給水に、皮膚表面角質層のバリヤ機能回復や美容効果に有効な成分を加えることが本発明の骨子の一つである。スキン・ケア器具の球面状軽打用金属をマグネシウム金属製にする場合は、加湿器から供給される補給水には自動的に０００３項に述べた有効マグネシウムイオンが含まれる。【００４６】同様に，請求項０００６のように、スキン・ケア器具の球面状軽打用金属を接触金属腐食における貴な金属製に代えることもおこなっている。この場合は皮膚表面上がプラス電位になり、その水分中の殺菌が効果的におこなわれる。これに加えるに皮膚角質層のバリヤ機能回復に有効になるように、マグネシウムイオンやカルシウムイオンを含むドロマイトの錠剤を溶かした補給水を用いる。【００４７】０００２項に述べた「イオン導入法」を構成するには、皮膚表面をマイナス電位に保つマグネシウム金属を球面状軽打用金属に用いたスキン・ケア器具に加え、補給水にプロビタミン（ビタミン前駆体）を溶解したものを用いる。これらのイオンは水中でマイナスに帯電すると考えられている。アスコルビン酸・２・リン酸ナトリウム（ＡｓｃＰＮａと略記）を種々の濃度で溶かした補給水を用い、皮膚表面のマグネシウム製球面状軽打用金属使用スキン・ケア器具を用いて当該補給水を塗布した皮膚のイオン導入実験を行い、皮膚表面の表皮と真皮に含まれるＡｓｃＰＮａ量を測定した。その結果の若干を表５に示す（東京大学、上田豊甫研究室）。同表には、比較のために他のイオン導入方法、ＳＯＮＯＩＯＮ，およびＢＥＡＵＬＹなど、による含有イオン量の測定結果をも挙げてある。本申請のスキン・ケア器具によるイオン導入結果は、表５の最下端の４行に試料番号、Ｌ１、Ｌ２，Ｌ３  および  Ｌ４  として挙げてある。【００４８】
2005261913.tif 000007
【００４９】表５をみると、８％のＡｓｃＰＮａ水溶液で６分間当該スキン・ケア器具で皮膚の塗布イオン導入を行った皮膚の、その表皮へのＡｓｃＰＮａの浸透量は、他のどのイオン導入法で塗布を行った浸透量に比べて最も大きい。真皮では、４％、８％いずれのＡｓｃＰＮａ水溶液でも、当該スキン・ケア器具による浸透量は、他のいずれの導入法による浸透量にも比肩しうるほど大きい。このことは、当該スキン・ケア器具によって醸成されるガルバニック電池の皮膚表面深部方向の電位分布が、ＡｓｃＰＮａイオンの皮膚内浸透に有効であることを示している。【００５０】図６に当該スキン・ケア器具の別の実施形態として、実施例２を示す。図７は同実施例の上面図、図６は図７上面図中直線Ａ−Ａに沿った断面図、図８は背面図、図９は実施例２の組み立て図である。この実施例２もマグネシウム製の球面状軽打用金属を用いたものを示してある。【００５１】実施例２でも、球面状軽打用マグネシウム金属１、加湿器フエルト２、及び陽電極用銅・銀合金円盤３、それらを格納する保持缶４とその蓋５は実施例１の場合と同様である。実施例２では、前述のガルバニック電池保持缶４が振動モーター１６と４組のスプリング１４とネジ１５により固定連結されている。図９の組み立て図にはこのことを、１組のスプリング１４とネジ１５に代表させて示してある。【００５２】振動モーター１６の遍心錘が矢印が示すように回転を始めると、モーターが振動を始め、ネジ１５で固定されている保持缶４も振動する。この振動はスプリング１４によって吸収され、ハンドル９には強く伝わらない。ハンドル９を握って振動する球面状軽打用マグネシウム金属１を皮膚に軽く当てると、マグネシウム金属１が皮膚を軽くたたく。しかし、ハンドルを握った手はそのように振動を強くは感じない。【００５３】請求項６に述べたように、球面状軽打用金属１を銅・銀合金で作り、陽電極用円盤３とハンドルに固定する陽電極６をマグネシウム金属製に変えると、実施例２もその電気的極性はこれまでに述べた器具と全く反対になる。この場合、皮膚表面は、皮膚深部にたいしてプラスに帯電し、水溶液に含まれるプラス電荷のイオンが皮膚下深部へ浸透するであろう。【００５４】加湿器へ滴下す水滴には、マグネシウム・イオンと組み合わさって角質層バリヤ機能回復に効果のあるカルシウム・イオンに付け加え、香りの高い香料等を溶かし込むとよい。実施例２が皺をとり生き生きとした肌を保つためのスキン・ケア器具として使用することが出来るのは、実施例１の場合と同様である。【００５５】加湿器２のフエルトを５〜６滴の補給水水滴で湿らした後、ハンドルを握って皮膚表面を撫でまわせば、振動する銅・銀合金軽打用金属（ガルバニック電池の陽電極）から皮膚上の水分を通じて、皮膚→身体からマグネシウム製電極片（ガルバニック電池の陰電極）へと、電気的回路が形成され、湿った皮膚表面上の電解殺菌作用や消臭作用、皮膚表面角質層バリア機能の回復・改善作用、更には皴の発生を遅らせる等の効果が発生惹起される。【００５６】加湿器へたらす水滴補給水には、マグネシウム・イオンと組み合わせて角質層バリヤー機能回復に効果のあるカルシウム・イオンイオンサプライ錠剤、更には香りのよい香料等を溶かし込むとよい。本発明器具は、皺をとり生き生きとした肌をたもっための美容器具として使用することが出来る。
【図面の簡単な説明】
【００５７】
【図１】  軽打型金属製スキン・ケア器具  実施例１の側面図、上面図Ａ−Ａに沿った断面
【図２】  軽打型金属製スキン・ケア器具  実施例１の上面図
【図３】  軽打型金属製スキン・ケア器具  実施例１の背面図
【図４】  軽打型金属製スキン・ケア器具、実施例１のガルバニック電池保持缶の組み立て図
【図５】  軽打型金属製スキン・ケア器具の加湿器補給水容器
【図６】  軽打型金属製スキン・ケア器具  実施例２の側面図、同上面図Ａ−Ａに沿った断面
【図７】  軽打型金属製スキン・ケア器具  実施例２の上面図
【図８】  軽打型金属製スキン・ケア器具  実施例２の背面図
【図９】  軽打型金属製スキン・ケア器具、実施例２のガルバニック電池保持缶の組み立て図
【符号の説明】
【００６０】  １    マグネシウム製球面状軽打用金属
２    加湿器フエルト短冊製円盤
３    ガルバニック電池マグネシウム陰極に対応する銅・銀合金陽極円盤
４    ガルバニック電池収納保持缶
５    ガルバニック電池収納保持缶の蓋
６    銅・銀合金製細線陽極、陽電極と掌との接触部分
７    軽打型金属製スキン・ケア器具  実施例１のハンドル頭部
８    振動モーター用スイッチ
９    軽打型金属製スキン・ケア器具、把握部ハンドル
１０    加湿器補給水容器本体
１１    加湿器補給水容器滴下用スポイド蓋
１２    加湿器補給水容器蓋押さえキャップ
１３    補給水保存用めくら蓋
１４    軽打型金属製スキン・ケア器具実施例２におけるガルバニック電池収納保持缶と振動モーター基底部の支持用スプリング
１５    軽打型金属製スキン・ケア器具実施例２におけるガルバニック電池収納保持缶と振動モーター基底部の結合固定用ネジ
１６    振動モーター
【図１】
2005261913.tif 000008
【図２】
2005261913.tif 000009
【図３】
2005261913.tif 000010
【図４】
2005261913.tif 000011
【図５】
2005261913.tif 000012
【図６】
2005261913.tif 000013
【図７】
2005261913.tif 000014
【図８】
2005261913.tif 000015
【図９】
2005261913.tif 000016